(57)【特許請求の範囲】
【請求項１】
移動体コアネットワークのマルチキャストサービスにアクセスするために、移動体基地局において、移動体基地局によって支配される移動ユーザ端末機器に対して、固定ネットワークにおける上位ネットワークデバイスが、マルチキャストサービスのデータを移動体コアネットワークから複数の基地局へ配信するための伝送路である、固定ネットワークにおけるマルチキャストバックホールを確立するのを支援する方法であって、
ａ．移動ユーザ端末機器から、移動体マルチキャストサービスを要求するマルチキャスト参加メッセージを取得すること、
ｂ．移動体基地局から移動体コアネットワークへ送信されたマルチキャスト参加メッセージに対して、移動体コアネットワークからフィードバックメッセージを取得し、フィードバックメッセージが、移動体コアネットワークが移動ユーザ端末機器のための無線マルチキャストベアラを既に確立しているという情報を備え、
ｃ．上位ネットワークデバイスが、マルチキャスト参加メッセージに従って、移動体マルチキャストサービスのために固定ネットワークにおけるマルチキャストバックホールを確立するのを支援することを含み、
ステップｃが、
ｃ２．マルチキャスト参加メッセージを、固定ネットワークにおける上位ネットワークデバイスに送信して、固定ネットワークにおける上位ネットワークデバイスが固定ネットワークにおいてマルチキャストバックホールを確立するのを支援するようにすることをさらに含む、方法。
【請求項２】
ステップａの後、ステップｂの前に、以下のステップ、すなわち、
マルチキャスト参加メッセージを格納することをさらに含み、
ステップｃ２の前に、以下のステップ、すなわち、
ｃ１．フィードバックメッセージに対応する格納されたマルチキャスト参加メッセージを探索することをさらに含み、
ステップｃ２が、
フィードバックメッセージに対応する格納されたマルチキャスト参加メッセージを、固定ネットワークにおける上位ネットワークデバイスに送信することをさらに含む、請求項１に記載の方法。
【請求項３】
ステップｃ１の後、ステップｃ２の前に、以下のステップ、すなわち、
マルチキャスト参加メッセージの中の送信元アドレスを移動体基地局のアドレスに変更することをさらに含み、
ステップｃ２が、フィードバックメッセージに対応する変更されたマルチキャスト参加メッセージを、固定ネットワークにおける上位ネットワークデバイスに送信することをさらに含む、請求項２に記載の方法。
【請求項４】
Ａ．移動ユーザ端末機器から、移動体マルチキャストサービスを離脱するマルチキャスト離脱メッセージを取得すること、
Ｂ．離脱メッセージを、固定ネットワークにおける上位ネットワークデバイスに送信することをさらに含む、請求項１に記載の方法。
【請求項５】
固定ネットワークにおける上位ネットワークデバイスが、アクセスノードまたはルータまたはスイッチを備える、請求項１から４のいずれか一項に記載の方法。
【請求項６】
移動体コアネットワークのマルチキャストサービスにアクセスするために、移動体基地局によって支配される移動ユーザ端末機器に対して、固定ネットワークにおける上位ネットワークデバイスが、マルチキャストサービスのデータを移動体コアネットワークから複数の移動体基地局へ配信するための伝送路である、固定ネットワークにおけるマルチキャストバックホールを確立するのを支援するための、移動体基地局内部に設けられた制御装置であって、
移動ユーザ端末機器から、移動体マルチキャストサービスを要求するマルチキャスト参加メッセージを取得するための、第１の取得するための手段と、
第１の取得するための手段がマルチキャスト参加メッセージを取得した後に、移動体コアネットワークから、移動体基地局から移動体コアネットワークへ送信されたマルチキャスト参加メッセージに対するフィードバックメッセージを取得するための、第２の取得するための手段を備え、フィードバックメッセージが、移動体コアネットワークが移動ユーザ端末機器のための無線マルチキャストベアラを既に確立しているという情報を備え、
第２の取得するための手段がフィードバックメッセージを取得した後に、上位ネットワークデバイスが、マルチキャスト参加メッセージに従って、移動体マルチキャストサービスのために固定ネットワークにおけるマルチキャストバックホールを確立するのを支援するための支援する手段とを備え、
支援する手段が、固定ネットワークにおける上位ネットワークデバイスにマルチキャスト参加メッセージを送信して、固定ネットワークにおける上位ネットワークデバイスが固定ネットワークにおいてマルチキャストバックホールを確立するのを支援するようにするための送信する手段を備える、制御装置。
【請求項７】
第１の取得するための手段がマルチキャスト参加メッセージを取得した後、及び、第２の取得するための手段がフィードバックメッセージを取得する前に、マルチキャスト参加メッセージを格納するための格納する手段と、
フィードバックメッセージに対応する格納されたマルチキャスト参加メッセージを探索するための探索する手段とをさらに備え、
探索する手段がマルチキャスト参加メッセージを探索した後に、送信する手段が、フィードバックメッセージに対応する格納されたマルチキャスト参加メッセージを、固定ネットワークにおける上位ネットワークデバイスに送信するためにさらに使用される、請求項６に記載の制御装置。
【請求項８】
マルチキャスト参加メッセージの中の送信元アドレスを移動体基地局のアドレスに変更するための更新する手段をさらに備え、
送信する手段が、フィードバックメッセージに対応する変更されたマルチキャスト参加メッセージを、固定ネットワークにおける上位ネットワークデバイスに送信するためにさらに使用される、請求項７に記載の制御装置。
【請求項９】
取得するための第１の手段が、
移動ユーザ端末機器から、移動体マルチキャストサービスを離脱するマルチキャスト離脱メッセージを取得するためにさらに使用され、
送信する手段が、離脱メッセージを、固定ネットワークにおける上位ネットワークデバイスに送信するためにさらに使用される、請求項６に記載の制御装置。
【請求項１０】
固定ネットワークにおける上位ネットワークデバイスが、アクセスノードまたはルータまたはスイッチを備える、請求項６から９のいずれか一項に記載の制御装置。
【請求項１１】
請求項６から１０のいずれか一項に記載の、移動体コアネットワークのマルチキャストサービスにアクセスする、移動体基地局によって支配される移動ユーザ端末機器に対して、固定ネットワークにおける上位ネットワークデバイスが、固定ネットワークにおけるマルチキャストバックホールを確立するのを支援するための制御装置を備える、通信ネットワークにおける移動体基地局。
【発明の詳細な説明】
【技術分野】
【０００１】
本発明は、通信ネットワークに関し、より詳細には、移動体マルチキャストサービスのための固定ネットワークにおいてマルチキャストバックホールの確立を支援するための方法および装置に関する。
【背景技術】
【０００２】
フェムトセル技術は、通信業界においてホットな話題である。フェムトセル技術は、移動体通信屋内カバレッジを拡大するためのソリューションであり、移動ユーザ端末、例えば、移動電話機または携帯情報端末（ＰＤＡ）によって開始された音声呼またはデータ呼を、固定ネットワークにおけるバックホールを介する標準のインタフェースに基づいて、３Ｇ移動体コアネットワークに伝送することができる。つまり、フェムトセル技術は、固定ネットワークをその技術のバックホールとし、その技術のファミリアクセスポイントは、プラグアンドプレイであり、任意のＩＰベースの伝送ネットワークに接続されることが可能である。
【０００３】
従来のマクロセルの無線伝搬の特徴は、建造物に対する侵入パフォーマンスが良くないことであり、このことは、屋内サービス品質が低下することをもたらす。フェムトセル技術の出現は、屋内のカバレッジおよびサービス品質を実質的に向上させる。
【０００４】
図１は、フェムトセル技術を使用して、既存の通信ネットワークにおける固定バックホールを介して移動体マルチメディアブロードキャスト／マルチキャストサービス（ＭＢＭＳ）を伝送することの概略図を示す。図１に示されるとおり、通信ネットワークは、移動体基地局１、例えば、基地局ルータ（ＢＳＲ）（ｅＮｏｄｅＢまたはホームＮｏｄｅＢとも呼ばれる）１、アクセスノード（ＡＮ）２、エッジルータ３、フェムトセルＧゲートウェイ（ＧＷ）４、およびブロードキャストマルチキャストサービスセンタ（ＢＭ−ＳＣ）５を備える。フェムトセルゲートウェイ４は、移動体コアネットワークと公共ＩＰネットワークの間に構成され、さらにフェムトセルゲートウェイ４は、移動体コアネットワーク向けの標準のインタフェース、例えば、Ｉｕ＿ＣＳインタフェース、Ｉｕ＿ＰＳインタフェース、Ｇｎ／Ｇｉインタフェース、およびその他のネットワーク側インタフェースを集結させ、提供する。ＢＳＲ１は、アクセスノード２を介して固定アクセスネットワークに接続される。固定アクセスネットワークは、ＡＤＳＬネットワーク、またはＦＴＴＸネットワークであることが可能である。図１は、４つのＢＳＲ、１ａ、１ｂ、１ｃ、および１ｄ、ならびに２つのアクセスノード、２ａおよび２ｂ  ｎを示す。ただし、ＢＳＲ、１ａおよび１ｂは、アクセスノード２ａに接続され、ＢＳＲ、１ｃおよび１ｄは、アクセスノード２ｂに接続される。アクセスノード２ａおよび２ｂは、固定アクセスネットワークまたは統合ネットワークを介してエッジルータ３を相手に接続を確立し、エッジルータ３は、公共ＩＰネットワークにアクセスされ、最終的に、フェムトセルＧＷ４を介して移動体コアネットワークに接続される。ただし、移動体コアネットワークにおけるＢＭ−ＳＣ５は、移動体ブロードキャストおよびマルチキャストサービスを提供する。図１に示される４つのＢＳＲおよび２つのアクセスノードは、単に例示的であり、実際的なネットワークは、前述の構成、または前述の構成におけるネットワーク要素の数に限定されないことが認識され得る。
【０００５】
従来技術における無線データ伝送のプロセスが、以下に簡単に説明される。移動電話機またはＰＤＡなどの移動ユーザ端末が、移動体コアネットワークからマルチキャストサービスを要求する際、移動ユーザ端末機器は、マルチキャストグループに参加することを要求するために、マルチキャスト参加メッセージを送信する。したがって、ＢＳＲは、インターネットプロトコルセキュリティトンネル（ＩＰＳｅｃ  Ｔｕｎｎｅｌ）を介してマルチキャスト参加メッセージを送信する。つまり、ＩＰＳｅｃパケットの中にマルチキャスト参加メッセージをカプセル化すること、カプセル化されたＩＰＳｅｃパケットの宛先アドレスは、トンネルの出口、すなわち、フェムトセルＧＷ４であり、カプセル化されたＩＰＳｅｃパケットの送信元アドレスは、トンネルの入口、すなわち、ＢＳＲのＩＰアドレスである。同様に、ＢＳＲ、１ｂ−１ｄによって支配される移動ユーザ端末がすべて、マルチキャストサービスを要求する際、３つのＢＳＲはそれぞれ、異なるＩＰＳｅｃトンネルを介してマルチキャスト参加メッセージを送信する。この状況を使用して、マルチキャスト参加メッセージは、対応するＢＳＲからフェムトセルＧＷ４までユニキャストトンネルを介して直接に送信され、このトンネルは、固定アクセスネットワークを通過し、したがって、そのマルチキャスト参加メッセージは、固定アクセスネットワークにおける各ネットワーク要素、例えば、アクセスノード、スイッチ、ルータまたはエッジルータには見えず、このため、マルチキャストバックホールは、その固定ネットワークにおいて確立され得ず、したがって、マルチキャストサービスデータは、固定ネットワークにおいてユニキャスト形態で伝送されることしか可能でない。したがって、ＢＳＲ１ａ−１ｄによって支配される移動ユーザ端末機器がすべて、ＢＭ−ＳＣ５からマルチキャストサービスを要求する際、４つのＢＳＲが移動体コアネットワークから同一のマルチキャストサービス、例えば、マルチキャストサービス６０を要求する場合でさえ、フェムトセルＧＷ４は、それでも、マルチキャストサービス６０の４つのコピー、つまり、６０ａ、６０ｂ、６０ｃ、および６０ｄを、４つのＩＰＳｅｃトンネルを介してユニキャスト形態で、つまり、ユニキャスト形態でＢＳＲ１ａ−１ｄに送信して、４つのＢＳＲに送信する。
【０００６】
したがって、移動体コアネットワークとフェムトセルの間でＭＢＭＳサービスを伝送する既存の方法は、固定ネットワークにおいて巨大なネットワークリソースを占有し、ゲートウェイ、エッジルータ、およびアクセスノードなどのネットワークデバイスに重い作業負荷をもたらす。
【先行技術文献】
【非特許文献】
【０００７】
【非特許文献１】ＲＦＣ３３７６：ｈｔｔｐ：／／ｗｗｗ．ｉｅｔｆ．ｏｒｇ／ｒｆｃ／ｒｆｃ３３７６．ｔｘｔ？ｎｕｍｂｅｒ＝３３７６、インターネットグループマネージメントプロトコル、バージョン３
【非特許文献２】ＲＦＣ３８１０：ｈｔｔｐ：／／ｗｗｗ．ｉｅｔｆ．ｏｒｇ／ｒｆｃ／ｒｆｃ３８１０．ｔｘｔ？ｎｕｍｂｅｒ＝３８１０
【非特許文献３】ＲＦＣ２７１０：ｈｔｔｐ：／／ｗｗｗ．ｉｅｔｆ．ｏｒｇ／ｒｆｃ／ｒｆｃ２７１０．ｔｘｔ？ｎｕｍｂｅｒ＝２７１０
【非特許文献４】標準３ＧＰＰ  ＴＳ２３．２４６
【発明の概要】
【発明が解決しようとする課題】
【０００８】
既存の技術の問題に基づいて、本発明は、移動体基地局が、固定ネットワークにおける上位ネットワークデバイスが固定ネットワークにおいてバックホールを確立するのを支援する方法を提案する。
【課題を解決するための手段】
【０００９】
本発明の第１の態様によれば、移動体基地局において、移動体コアネットワークのマルチキャストサービスにアクセスする、移動体基地局によって支配される移動ユーザ端末機器に対して、固定ネットワークにおける上位ネットワークデバイスが、固定ネットワークにおけるマルチキャストバックホールを確立するのを支援する方法が提供され、この方法は、移動ユーザ端末機器から、移動体マルチキャストサービスを要求するマルチキャスト参加メッセージを取得すること、上位ネットワークデバイスが、そのマルチキャスト参加メッセージに従って移動体マルチキャストサービスのために固定ネットワークにおけるマルチキャストバックホールを確立するのを支援することを含む。
【００１０】
好ましくは、この方法は、以下のステップ、すなわち、マルチキャスト参加メッセージを、固定ネットワークにおける上位ネットワークデバイスに送信して、固定ネットワークにおける上位ネットワークデバイスが固定ネットワークにおいてマルチキャストバックホールを確立するのを支援するようにすることを含む。
【００１１】
本発明の第２の態様によれば、移動体基地局において、移動体コアネットワークのマルチキャストサービスにアクセスする、移動体基地局によって支配される移動ユーザ端末機器に対して、固定ネットワークにおける上位ネットワークデバイスが、固定ネットワークにおけるマルチキャストバックホールを確立するのを支援するための制御装置であって、移動ユーザ端末機器から、移動体マルチキャストサービスを要求するマルチキャスト参加メッセージを取得するための、第１の取得するための手段と、上位ネットワークデバイスが、そのマルチキャスト参加メッセージに従って移動体マルチキャストサービスのために固定ネットワークにおけるマルチキャストバックホールを確立するのを支援するための、支援する手段とを備える、制御装置が提供される。
【００１２】
好ましくは、支援する手段は、固定ネットワークにおける上位ネットワークデバイスにマルチキャスト参加メッセージを送信して、固定ネットワークにおける上位ネットワークデバイスが固定ネットワークにおいてマルチキャストバックホールを確立するのを支援するようにするための、送信する手段をさらに備える。
【００１３】
本発明によって提供される技術的ソリューションを使用して、固定ネットワークにおけるネットワークリソースが節約され、ゲートウェイ、エッジルータ、アクセスノードなどの、固定ネットワークにおけるネットワーク要素の重い作業負荷が軽減される。
【００１４】
制限的ではない実施形態の後段の詳細な説明を参照して、本発明の他の特徴、目的、および利点が、より明白となろう。
【図面の簡単な説明】
【００１５】
【図１】フェムトセル技術を使用して、通信ネットワークにおける固定ユニキャストバックホールを介して移動体ブロードキャスト／マルチキャストサービスを伝送するための既存の技術を示す概略図である。
【図２】フェムトセル技術を使用して、通信ネットワークにおける固定マルチキャストバックホールを介して移動体マルチキャストサービスを伝送するための本発明のネットワークトポロジを示す概略図である。
【図３】本発明の実施例を示す方法フローチャートである。
【図４】本発明の実施例を示す装置ブロック図である。
【発明を実施するための形態】
【００１６】
同一の、または同様の参照符号は、同一の、または同様のステップ特徴または装置（モジュール）を指す。
【００１７】
図２は、本発明のネットワークトポロジを示すための例として取り上げる。図２に示されるとおり、通信ネットワークが、移動体基地局１ａ−１ｄ、アクセスノード（ＡＮ）２ａおよび２ｂ、エッジルータ３、フェムトセルゲートウェイ（ＧＷ）４、ならびにブロードキャストマルチキャストサービスセンタ（ＢＭ−ＳＣ）５を備える。フェムトセルゲートウェイ４は、移動体コアネットワークと公共ＩＰネットワークの間に構成される。ＢＳＲ１が、アクセスノード２を介して固定アクセスネットワークに接続される。固定アクセスネットワークは、ＡＤＳＬネットワーク、またはＦＴＴＸネットワークであることが可能である。図２は、４つのＢＳＲ、１ａ、１ｂ、１ｃ、および１ｄ、ならびに２つのアクセスノード、２ａおよび２ｂ  ｎを示す。ただし、ＢＳＲ、１ａおよび１ｂは、アクセスノード２ａに接続され、ＢＳＲ、１ｃおよび１ｄは、アクセスノード２ｂに接続される。アクセスノード２ａおよび２ｂは、固定アクセスネットワークまたは統合ネットワークを介してエッジルータ３を相手に接続を確立し、エッジルータ３は、公共ＩＰネットワークにアクセスされ、最終的に、フェムトセルＧＷ４を介して移動体コアネットワークに接続される。ただし、移動体基地局は、ｅＮｏｄｅＢまたはホームＮｏｄｅＢ（Ｈ−ＮｏｄｅＢ）とも呼ばれる、基地局ルータ（ＢＳＲ）であることが可能であり、ＢＳＲは、基地局、ルータ、および無線ネットワークコントローラ（ＲＮＣ）の機能を統合し、ときとして、サービスＧＰＲＳサポートノード（ＳＧＳＮ）、ゲートウェイＧＰＲＳサポートノード（ＧＧＳＮ）などの機能を範囲に含むことさえ可能である。移動体コアネットワークにおけるブロードキャストマルチキャストサービスセンタ（ＢＭ−ＳＣ）５は、移動体ブロードキャストおよびマルチキャストサービスを提供するのに使用される。図２に示される４つのＢＳＲおよび２つのアクセスノードは、単に例示的であり、実際的なネットワークは、前述の構成、または前述の構成におけるネットワーク要素の数に限定されないことが認識され得る。さらに、ＢＳＲに接続されたネットワークデバイスは、小型ルータ、小型スイッチであることも可能であり、デジタル加入者線アクセスマルチプレクサ（ＤＳＬＡＭ）などのアクセスデバイスに限定されない。
【００１８】
次に図３を参照して、本発明の方法フローチャートが、以下のとおり説明される。
【００１９】
図３に示されるとおり、ステップＳ１０で、ＢＳＲが、ＢＳＲによって支配される移動ユーザ端末機器からのデータパケットを検査する。具体的には、ＢＳＲは、ＩＰパケットのヘッダのプロトコルタイプおよびメッセージタイプを探索する。
【００２０】
（事例１）:
ＩＰヘッダの中のプロトコルタイプが２である場合、このことは、ＩＰパケットのデータ部分がＩＧＭＰメッセージを備えることを示す。すると、ＢＳＲが、ＩＧＭＰメッセージのメッセージタイプをさらに探索する。
【００２１】
ｉ）ＩＧＭＰメッセージのメッセージタイプが０×２２である場合、このことは、ＩＧＭＰメッセージがバージョン３マルチキャスト参加メッセージ、すなわち、バージョン３メンバシップレポートであることを示し、あるいはｉｉ）ＩＧＭＰメッセージのメッセージタイプが０×１２である場合、このことは、ＩＧＭＰがバージョン１マルチキャスト参加メッセージ、すなわち、バージョン１メンバシップレポートであることを示し、あるいはｉｉｉ）ＩＧＭＰメッセージのメッセージタイプが０×１６である場合、このことは、ＩＧＭＰがバージョン２マルチキャスト参加メッセージ、すなわち、バージョン２メンバシップレポートであることを示し（ＲＦＣ３３７６：ｈｔｔｐ：／／ｗｗｗ．ｉｅｔｆ．ｏｒｇ／ｒｆｃ／ｒｆｃ３３７６．ｔｘｔ？ｎｕｍｂｅｒ＝３３７６、インターネットグループマネージメントプロトコル、バージョン３を参照されたい）、以上３つの場合、すなわち、ＩＧＰＭメッセージがマルチキャスト参加メッセージである場合において、方法は、ステップＳ１１に入り、ＢＳＲが、移動ユーザ端末機器から、移動体マルチキャストサービスを要求するマルチキャスト参加メッセージ、つまり、メンバシップレポートメッセージ、またはＩＧＭＰ参加メッセージを取得する。
【００２２】
（事例２）:
ＩＰヘッダの中のプロトコルタイプが２である場合、このことは、ＩＰパケットのデータ部分がＩＧＭＰメッセージを備えることを示す。すると、ＢＳＲが、ＩＧＭＰメッセージのメッセージタイプをさらに探索する。
【００２３】
ｉ）ＩＧＭＰメッセージのメッセージタイプが０×１７である場合、このことは、ＩＧＭＰメッセージがバージョン２グループ離脱、すなわち、マルチキャスト離脱メッセージであることを示し、方法は、ステップＳ１１’に入る。
【００２４】
事例１および事例２は、ＢＳＲがＩＰｖ４データパケットを検査する状況に焦点を合わせる。以下の事例３および事例４は、ＢＳＲがＩＰｖ６データパケットを検査する状況に焦点を合わせる。
【００２５】
（事例３）:
ＩＰヘッダの中のプロトコルタイプが１である場合、このことは、ＩＰパケットのデータ部分がＩＣＭＰメッセージを備えることを示す。すると、ＢＳＲが、ＩＣＭＰメッセージのメッセージタイプをさらに探索する。ＩＣＭＰメッセージのメッセージタイプが５８である場合、このことは、ＩＣＭＰｖ６メッセージがマルチキャストリスナ発見（ＭＬＤ）メッセージを伝送することを示し、すると、ＢＳＲが、ＭＬＤメッセージのメッセージタイプをさらに探索する。
【００２６】
ｉ）ＭＬＤメッセージのメッセージタイプが１０進法で１４３である場合、このことは、ＭＬＤメッセージがバージョン２マルチキャストリスナレポート（タイプ＝１０進１４３）であることを示し（ＲＦＣ３８１０：ｈｔｔｐ：／／ｗｗｗ．ｉｅｔｆ．ｏｒｇ／ｒｆｃ／ｒｆｃ３８１０．ｔｘｔ？ｎｕｍｂｅｒ＝３８１０を参照されたい）、あるいはｉｉ）ＭＬＤメッセージのメッセージタイプが１０進法で１３１である場合、このことは、ＭＬＤメッセージがバージョン１マルチキャストリスナレポート（タイプ＝１０進１３１）であることを示し（ＲＦＣ２７１０：ｈｔｔｐ：／／ｗｗｗ．ｉｅｔｆ．ｏｒｇ／ｒｆｃ／ｒｆｃ２７１０．ｔｘｔ？ｎｕｍｂｅｒ＝２７１０を参照されたい）、すると、事例３におけるｉ）およびｉｉ）に関して、ＭＬＤメッセージは、マルチキャスト参加メッセージであり、方法は、ステップＳ１１に入り、ＢＳＲが、移動ユーザ端末機器から、移動体マルチキャストサービスを要求するマルチキャスト参加メッセージ、つまり、メンバシップレポートメッセージ、またはＭＬＤ参加メッセージを取得する。
【００２７】
（事例４）:
ＩＰヘッダの中のプロトコルタイプが１である場合、このことは、ＩＰパケットのデータ部分がＩＣＭＰメッセージを備えることを示す。すると、ＢＳＲが、ＩＣＭＰメッセージのメッセージタイプをさらに探索する。ＩＣＭＰメッセージのメッセージタイプが５８である場合、このことは、ＩＣＭＰｖ６メッセージがマルチキャストリスナ発見（ＭＬＤ）メッセージを伝送することを示し、すると、ＢＳＲが、ＭＬＤメッセージのメッセージタイプをさらに探索する。
【００２８】
ｉ）ＭＬＤのメッセージタイプが１０進法で１３２である場合、このことは、ＭＬＤメッセージがバージョン１マルチキャスト終了メッセージ、すなわち、バージョン１マルチキャストリスナ終了（タイプ＝１０進１３２）であることを示し（ＲＦＣ２７１０：ｈｔｔｐ：／／ｗｗｗ．ｉｅｔｆ．ｏｒｇ／ｒｆｃ／ｒｆｃ２７１０．ｔｘｔ？ｎｕｍｂｅｒ＝２７１０を参照されたい）、ホストがＩＰｖ６マルチキャストグループを離脱する際、ホストは、それに相応して、マルチキャスト離脱メッセージであるＭＬＤ終了メッセージを送信し、次に、方法は、ステップＳ１１’に入る。
【００２９】
ステップＳ１０で、ＢＳＲが、ＩＰパケットのプロトコルタイプおよびメッセージタイプを検査し、そのＩＰパケットが前述の４つの事例のいずれにも属さない、つまり、そのＩＰパケットがマルチキャスト参加メッセージにも属さず、マルチキャスト離脱メッセージにも属さないと判定した場合、方法は、ステップＳ１１”に入り、ＢＳＲが、ＩＰＳｅｃを介してそのＩＰパケットを直接にカプセル化し、つまり、そのＩＰパケットに関してＩＰインＩＰカプセル化を実行する。カプセル化されたＩＰパケットの宛先アドレスは、フェムトセルＧＷ４のアドレスであり、ＢＳＲが、カプセル化されたＩＰパケットを、ＩＰＳｅｃトンネルを介してＩＰＳｅｃトンネルの出口、フェムトセルＧＷ４に直接に送信する。
【００３０】
以下に、事例１および事例３に関する本発明の後続のステップがまず、説明される。ステップＳ１１で、ＢＳＲが、移動ユーザ端末機器から移動体マルチキャストサービスを要求するマルチキャスト参加メッセージを取得すると、方法は、ステップＳ１２に入り、ＢＳＲが、マルチキャスト参加メッセージをコピーし、マルチキャスト参加メッセージのコピーをＢＳＲの中に保存する。
【００３１】
さらに、ＢＳＲが、マルチキャスト参加メッセージに関するＩＰインＩＰカプセル化を実行し、ＩＰＳｅｃトンネルを介してマルチキャスト参加メッセージを転送する。トンネルの入口は、ＢＳＲのＩＰアドレスであり、トンネルの出口は、フェムトセルＧＷ４のＩＰアドレスであり、このことは、図３に示されない、移動体ネットワークにおけるマルチキャストサービスの無線マルチキャストベアラを確立することを目的とする。
【００３２】
ＩＰＳｅｃトンネルを介して転送された、カプセル化されたデータパケットがフェムトセルＧＷ４に到達した後、フェムトセルＧＷは、そのパケットをカプセルから取り出し、そのパケットを、処理のために移動体コアネットワークに転送する。移動体コアネットワークは、マルチキャスト参加メッセージに対して対応する認証を実行し、マルチキャストサービスのために移動体ネットワークにおいて無線マルチキャストベアラを確立して、ＭＢＭＳ  ＵＥコンテキストを生成するようにする。これらの実施の詳細は、従来技術において記録されており、簡明のために省略される、標準３ＧＰＰ  ＴＳ２３．２４６において参照することができる。
【００３３】
次に、ステップＳ１３で、ＢＳＲが、ＭＢＭＳ  ＵＥコンテキストである、移動体コアネットワークからのフィードバックメッセージを取得する。
【００３４】
すると、ＢＳＲが移動体コアネットワークからＭＢＭＳ  ＵＥコンテキストを受信した後、方法は、ステップＳ１４に入る。ステップＳ１４で、ＢＳＲが、ステップＳ１２で格納されたマルチキャスト参加メッセージを、固定ネットワークにおける上位ネットワークデバイスに送信して、固定ネットワークにおける上位ネットワークデバイスが固定ネットワークにおいてマルチキャストバックホールを確立するのを支援するようにする。
【００３５】
具体的には、ＢＳＲが、ＭＢＭＳ  ＵＥコンテキストにおける送信元アドレスおよび宛先アドレスに従って、格納された複数のマルチキャスト参加メッセージから対応するマルチキャスト参加メッセージを探し出す。例えば、ＢＳＲは、移動体コアネットワークからフィードバック情報を受信し、ＭＢＭＳ  ＵＥコンテキストにおける関連する送信元アドレスは、移動ユーザ端末機器のＩＰアドレス、例えば、１０１．０．０．１１であり、関連する宛先アドレスは、２２４．０．０．２２であるマルチキャストアドレスである。次に、ＢＳＲは、フィードバックメッセージに従って、ＢＳＲの中に格納された移動ユーザ端末機器からの複数のマルチキャスト参加メッセージを探索し、宛先アドレスがマルチキャストアドレス２２４．０．０．２２であり、さらに送信元アドレスが移動ユーザ端末機器のＩＰアドレス、例えば、１０１．０．０．１１であるマルチキャスト参加メッセージを探し出す。次に、ＢＳＲは、そのマルチキャストメッセージが、フィードバックされたＭＢＭＳ  ＵＥコンテキストに対応するマルチキャスト参加メッセージであることを特定する。次に、ＢＳＲは、フィードバックされたＭＢＭＳ  ＵＥコンテキストに対応するマルチキャスト参加メッセージを、固定ネットワークにおける上位ネットワークデバイスに送信する。図２に示されるトポロジにおいて、ＢＳＲの上位ネットワークデバイスは、アクセスノード、例えば、ＤＳＬＡＭであるが、ＢＳＲの適用シナリオは、そうであることに限定されない。ＢＳＲの上位ネットワークデバイスは、小型スイッチ、小型ルータであることが可能であり、ただし、小型ルータは、ＦＴＴＸ接続シナリオに対応する。したがって、様々なネットワークトポロジに応じて、ＢＳＲは、マルチキャスト参加メッセージを、ＢＳＲに接続された上位ネットワークデバイスに送信する。
【００３６】
固定ネットワークにおける上位ネットワークデバイスがＢＳＲからマルチキャスト参加メッセージを受信すると、固定ネットワークにおける上位ネットワークデバイスは、そのマルチキャスト参加メッセージの送信元アドレスおよび宛先アドレスを記録し、既存のフローに従って対応するポートを構成し、対応するルーティングプロトコルに従ってマルチキャスト参加メッセージを転送し、最後に、マルチキャストツリーを確立することが可能である。
【００３７】
ＢＳＲの固定ネットワークにおける上位ネットワークデバイスが移動体ネットワークにおける送信元アドレスに影響されやすい可能性があることを考慮すると、つまり、送信元アドレスが移動体ネットワークにおけるアドレスである場合、例えば、固定ネットワークにおける上位ネットワークデバイスが、アドレス１０１．０．０．１１を有する移動ユーザ端末機器を送信元とするメッセージを受信した場合、固定ネットワークにおける上位ネットワークデバイスは、そのメッセージの送信元アドレスが固定ネットワークセグメントに属さないと考え、そのメッセージを直接に破棄する可能性がある。前述の状況に対処するのに、変形された実施形態において、ＢＳＲがステップＳ１４に入る前に、方法は、以下をさらに備える。すなわち:
マルチキャスト参加メッセージの送信元アドレスをＢＳＲのＩＰアドレスに変更すること。ＢＳＲのＩＰアドレスは、固定ネットワークによって割り当てられ、固定ネットワークセグメントに属し、例えば、ＢＳＲのＩＰアドレスが２０２．０．０．１１であり、したがって、ＢＳＲが、マルチキャスト参加メッセージの送信元アドレスをＢＳＲのＩＰアドレス、２０２．０．０．１１に変更し、次に、方法は、ステップＳ１４に入り、変更された送信元アドレスを有するマルチキャスト参加メッセージが、ＢＳＲの固定ネットワークにおける上位ネットワークデバイスに送信される。
【００３８】
前述の実施形態において、ＢＳＲがステップＳ１３を終了した後、つまり、ＢＳＲが移動体コアネットワークからフィードバックメッセージを取得した後、方法は、ステップＳ１４に入り、マルチキャスト参加メッセージが、固定ネットワークにおける上位ネットワークデバイスに送信される。前述の実施する順序は、単に例示的であることに留意されたい。変形された実施形態において、ステップＳ１２は、省略されてもよく、ステップＳ１３およびＳ１４の実施は、厳格な順序を有さない。つまり、移動ユーザ端末機器から、移動体マルチキャストサービスを要求するマルチキャスト参加メッセージを取得するステップＳ１１の後、ＢＳＲは、マルチキャスト参加メッセージをバッファリングする必要はなく、ステップＳ１４に直接に入り、つまり、ＢＳＲは、そのマルチキャスト参加メッセージを、固定ネットワークにおける上位ネットワークデバイスに送信し、次に、ＢＳＲは、そのマルチキャスト参加メッセージを、ＩＰＳｅｃトンネルを介してフェムトセルＧＷ４に送信し、その後、そのメッセージがフェムトセルＧＷ４によってカプセルから取り出され、移動体コアネットワークに送信される、つまり、ＢＳＲが、移動体マルチキャストサービスのために固定ネットワークにおけるマルチキャストバックホールの確立をトリガするプロセスは、移動体コアネットワークからのフィードバックに依存しない。さらに、ＢＳＲは、移動体ネットワークにおいて無線マルチキャストベアラをさらに確立し、このことは、この場合、省略され、図３に示されない。この変形された実施形態は、時間を節約する。しかし、移動体マルチキャストサービスを求める要求が、移動体コアネットワークによって認証されない場合、このことは、固定ネットワークにおいて確立されたマルチキャストバックホール、例えば、マルチキャストツリーなどの無効を生じさせる可能性がある。
【００３９】
それぞれの前述の実施形態はすべて、マルチキャストメッセージがマルチキャスト参加メッセージである状況に焦点を合わせる。以下に、事例２および事例４、つまり、マルチキャストメッセージがマルチキャスト離脱メッセージである事例と関係する実施形態の説明が与えられる。
【００４０】
ステップＳ１０で、ＢＳＲが、移動ユーザ端末機器からのＩＰパケットが事例２および事例４に属することを特定すると、方法は、ステップＳ１１’に入り、ＢＳＲは、移動ユーザ端末機器から、移動体マルチキャストグループを離脱するためのマルチキャスト離脱メッセージを取得する。
【００４１】
次に、方法は、ステップＳ１４’に直接に入り、ＢＳＲは、そのマルチキャスト離脱メッセージを、固定ネットワークにおける上位ネットワークデバイスに直接に送信する。ＢＳＲは、マルチキャストグループを離脱することを要求するので、ＢＳＲは、移動体コアネットワークによって認証されなくてもよい、すなわち、ステップＳ１２およびＳ１３は必要ないことに留意されたい。
【００４２】
変形された実施形態において、固定ネットワークにおけるＢＳＲの上位ネットワークデバイスが移動体ネットワークに属する送信元アドレスに影響されやすい可能性があることも考慮すると、つまり、マルチキャスト離脱メッセージの送信元アドレスが移動体ネットワークにおけるアドレスである場合、例えば、固定ネットワークにおけるネットワークデバイスが、送信元アドレス１０１．０．０．１１を有する移動ユーザ端末機器を送信元とするマルチキャスト離脱メッセージを受信した場合、上位ネットワークデバイスは、そのメッセージのＩＰアドレスが固定ネットワークに属さないので、そのメッセージを破棄する可能性がある。前述のソリューションに対処するため、変形された実施形態では、ＢＳＲがステップＳ１４’に入る前に、ＢＳＲは、以下のステップを実行することをさらに必要とする。すなわち:
マルチキャスト離脱メッセージの送信元アドレスをＢＳＲのアドレスに変更すること。固定ネットワークセグメントに属する、ＢＳＲのＩＰアドレスは、固定ネットワークによって割り当てられ、例えば、ＢＳＲのＩＰアドレスが２０２．０．０．１１である。したがって、ＢＳＲが、マルチキャスト離脱メッセージの送信元ＩＰアドレスをＢＳＲのＩＰアドレス、２０２．０．０．１１に変更する。次に、方法は、ステップＳ１４’に入り、ＢＳＲが、変更された送信元アドレスを有するマルチキャスト離脱メッセージを、ＢＳＲの上位ネットワークデバイスに送信する。図２に示されるトポロジにおいて、ＢＳＲの上位ネットワークデバイスは、アクセスノード、例えば、ＤＳＬＡＭであるが、ＢＳＲの適用シナリオは、そうであることに限定されない。ＢＳＲの上位ネットワークデバイスは、小型スイッチ、小型ルータであることが可能であり、ただし、小型ルータは、ＦＴＴＸ接続シナリオに対応する。したがって、様々なネットワークトポロジに応じて、ＢＳＲは、マルチキャスト離脱メッセージを、ＢＳＲに接続された上位ネットワークデバイスに送信する。
【００４３】
次に、図２および図３の組合せと一緒に図４を参照して、本発明のデバイスブロック図が以下に説明される。図４は、本発明の一実施形態による移動体通信ネットワークのＢＳＲ１における制御デバイス１０のブロック図を示す。ただし、制御デバイス１０は、図２に示されるＢＳＲ１ａからＢＳＲ１ｄに配置される。制御デバイス１０は、取得するための第１の手段１００と、取得するための第２の手段１０１と、格納する手段１０２と、支援する手段１０３とを備える。ただし、支援する手段１０３は、探索する手段１０３０と、送信する手段１０３１とをさらに備える。
【００４４】
図４に示されるとおり、ＢＳＲは、ＢＳＲによって支配される移動ユーザ端末機器からのデータパケットを検査する。具体的には、ＢＳＲは、ＩＰパケットのプロトコルタイプおよびメッセージタイプを探索する。
【００４５】
（事例１）:
ＩＰヘッダの中のプロトコルタイプが２である場合、このことは、ＩＰパケットのデータ部分がＩＧＭＰメッセージを備えることを示す。すると、ＢＳＲが、ＩＧＭＰメッセージのメッセージタイプをさらに探索する。
【００４６】
ｉ）ＩＧＭＰメッセージのメッセージタイプが０×２２である場合、このことは、ＩＧＭＰメッセージがバージョン３マルチキャスト参加メッセージ、すなわち、バージョン３メンバシップレポートであることを示し、あるいはｉｉ）ＩＧＭＰメッセージのメッセージタイプが０×１２である場合、このことは、ＩＧＭＰがバージョン１マルチキャスト参加メッセージ、すなわち、バージョン１メンバシップレポートであることを示し、あるいはｉｉｉ）ＩＧＭＰメッセージのメッセージタイプが０×１６である場合、このことは、ＩＧＭＰがバージョン２マルチキャスト参加メッセージ、すなわち、バージョン２メンバシップレポートであることを示し（ＲＦＣ３３７６：ｈｔｔｐ：／／ｗｗｗ．ｉｅｔｆ．ｏｒｇ／ｒｆｃ／ｒｆｃ３３７６．ｔｘｔ？ｎｕｍｂｅｒ＝３３７６、インターネットグループマネージメントプロトコル、バージョン３を参照されたい）、以上３つの場合、すなわち、ＩＧＰＭメッセージがマルチキャスト参加メッセージである場合において、取得する第１の手段１００が、移動ユーザ端末機器から、移動体マルチキャストサービスを要求するマルチキャスト参加メッセージ、つまり、メンバシップレポートメッセージ、またはＩＧＭＰ参加メッセージを取得する。
【００４７】
（事例２）:
ＩＰヘッダの中のプロトコルタイプが２である場合、このことは、ＩＰパケットのデータ部分がＩＧＭＰメッセージを備えることを示す。すると、ＢＳＲが、ＩＧＭＰメッセージのメッセージタイプをさらに探索する。
【００４８】
ｉ）ＩＧＭＰメッセージのメッセージタイプが０×１７である場合、このことは、ＩＧＭＰメッセージがバージョン２グループ離脱、すなわち、マルチキャスト離脱メッセージであることを示し、取得するための第１の手段１００が、移動ユーザ端末機器から、移動体マルチキャストグループを離脱する要求のためのマルチキャスト離脱メッセージを取得する。
【００４９】
事例１および事例２は、ＢＳＲがＩＰｖ４データパケットを検査する状況に焦点を合わせる。以下の事例３および事例４は、ＢＳＲがＩＰｖ６データパケットを検査する状況に焦点を合わせる。
【００５０】
（事例３）:
ＩＰヘッダの中のプロトコルタイプが１である場合、このことは、ＩＰパケットのデータ部分がＩＣＭＰメッセージを備えることを示す。すると、ＢＳＲが、ＩＣＭＰメッセージのメッセージタイプをさらに探索する。ＩＣＭＰメッセージのメッセージタイプが５８である場合、このことは、ＩＣＭＰｖ６メッセージがＭＬＤ（マルチキャストリスナ発見）メッセージを伝送することを示し、すると、ＢＳＲが、ＭＬＤメッセージのメッセージタイプをさらに探索する。
【００５１】
ｉ）ＭＬＤメッセージのメッセージタイプが１０進法で１４３である場合、このことは、ＭＬＤメッセージがバージョン２マルチキャストリスナレポート（タイプ＝１０進１４３）であることを示し（ＲＦＣ３８１０：ｈｔｔｐ：／／ｗｗｗ．ｉｅｔｆ．ｏｒｇ／ｒｆｃ／ｒｆｃ３８１０．ｔｘｔ？ｎｕｍｂｅｒ＝３８１０を参照されたい）、あるいはｉｉ）ＭＬＤのメッセージタイプが１０進法で１３１である場合、このことは、ＭＬＤメッセージがバージョン１マルチキャストリスナレポート（タイプ＝１０進１３１）であることを示し（ＲＦＣ２７１０：ｈｔｔｐ：／／ｗｗｗ．ｉｅｔｆ．ｏｒｇ／ｒｆｃ／ｒｆｃ２７１０．ｔｘｔ？ｎｕｍｂｅｒ＝２７１０を参照されたい）、すると、事例３におけるｉ）およびｉｉ）に関して、ＭＬＤメッセージは、マルチキャスト参加メッセージであり、取得するための第１の手段１００が、移動ユーザ端末機器から、移動体マルチキャストサービスを要求するマルチキャスト参加メッセージ、つまり、メンバシップレポートメッセージ、またはＭＬＤ参加メッセージを取得する。
【００５２】
（事例４）:
ＩＰヘッダの中のプロトコルタイプが１である場合、このことは、ＩＰパケットのデータ部分がＩＣＭＰメッセージを備えることを示す。すると、ＢＳＲが、ＩＣＭＰメッセージのメッセージタイプをさらに探索する。ＩＣＭＰメッセージのメッセージタイプが５８である場合、このことは、ＩＣＭＰｖ６メッセージがＭＬＤ（マルチキャストリスナ発見）メッセージを伝送することを示し、すると、ＢＳＲが、ＭＬＤメッセージのメッセージタイプをさらに探索する。
【００５３】
ｉ）ＭＬＤのメッセージタイプが１０進法で１３２である場合、このことは、ＭＬＤメッセージがバージョン１マルチキャスト終了メッセージ、すなわち、バージョン１マルチキャストリスナ終了（タイプ＝１０進１３２）であることを示し（ＲＦＣ２７１０：ｈｔｔｐ：／／ｗｗｗ．ｉｅｔｆ．ｏｒｇ／ｒｆｃ／ｒｆｃ２７１０．ｔｘｔ？ｎｕｍｂｅｒ＝２７１０を参照されたい）、ホストがＩＰｖ６マルチキャストグループを離脱する際、ホストは、それに相応して、マルチキャスト離脱メッセージであるＭＬＤ終了メッセージを送信し、次に、取得するための第１の手段１００が、移動ユーザ端末機器から、移動体マルチキャストサービスを離脱することを要求するマルチキャスト離脱メッセージを取得する。
【００５４】
ＢＳＲが、ＩＰパケットのプロトコルタイプおよびメッセージタイプを検査し、そのＩＰパケットが前述の４つの事例のいずれにも属さない、つまり、そのＩＰパケットがマルチキャスト参加メッセージにも属さず、マルチキャスト離脱メッセージにも属さないと判定した場合、ＢＳＲが、ＩＰＳｅｃを介してそのＩＰパケットを直接にカプセル化し、つまり、そのＩＰパケットに関してＩＰインＩＰカプセル化を実行する。カプセル化されたＩＰパケットの宛先アドレスは、フェムトセルＧＷ４のアドレスであり、ＢＳＲが、カプセル化されたＩＰパケットを、ＩＰＳｅｃトンネルを介してＩＰＳｅｃトンネルの出口、フェムトセルＧＷ４に直接に送信する。
【００５５】
以下に、事例１および事例３に関する本発明の後続のステップがまず、説明される。取得するための第１の手段１００が、移動ユーザ端末機器から移動体マルチキャストサービスを要求するマルチキャスト参加メッセージを取得すると、格納する手段１０２が、マルチキャスト参加メッセージをコピーし、マルチキャスト参加メッセージのコピーをＢＳＲの中に保存する。
【００５６】
さらに、ＢＳＲが、マルチキャスト参加メッセージに関するＩＰインＩＰカプセル化を実行し、ＩＰＳｅｃトンネルを介してマルチキャスト参加メッセージを転送する。トンネルの入口は、ＢＳＲのＩＰアドレスであり、トンネルの出口は、フェムトセルＧＷ４のＩＰアドレスであり、このことは、図４に示されない、移動体ネットワークにおけるマルチキャストサービスの無線マルチキャストベアラを確立することを目的とする。
【００５７】
さらに、ＢＳＲが、移動体ネットワークにおける無線マルチキャストベアラをさらに確立して、移動体ネットワークにおける移動ユーザ端末機器にＢＳＲが移動体サービスを伝送するのを円滑にする。このステップは、従来技術におけるステップと同一であるので、したがって、簡明のために省略され、図４に示されない。
【００５８】
ＩＰＳｅｃトンネルを介して転送された、カプセル化されたデータパケットがフェムトセルＧＷ４に到達した後、フェムトセルＧＷ４は、そのパケットをカプセルから取り出し、そのパケットを、処理のために移動体コアネットワークに転送する。移動体コアネットワークは、マルチキャスト参加メッセージに対して対応する認証を実行し、マルチキャストサービスのために移動体ネットワークにおいて無線マルチキャストベアラを確立して、ＭＢＭＳ  ＵＥコンテキストを生成するようにする。これらの実施の詳細は、従来技術において記録されており、簡明のために省略される、標準３ＧＰＰ  ＴＳ２３．２４６において参照することができる。
【００５９】
次に、取得するための第２の手段が、ＭＢＭＳ  ＵＥコンテキストである、移動体コアネットワークからのフィードバックメッセージを取得する。
【００６０】
すると、取得するための第２の手段が移動体コアネットワークからＭＢＭＳ  ＵＥコンテキストを受信した後、支援する手段１０３内の送信する手段１０３１が、格納する手段１０２の中に格納されたマルチキャスト参加メッセージを、固定ネットワークにおける上位ネットワークデバイスに送信して、固定ネットワークにおける上位ネットワークデバイスが固定ネットワークにおいてマルチキャストバックホールを確立するのを支援するようにする。
【００６１】
具体的には、支援する手段１０３内の探索する手段１０３０が、ＭＢＭＳ  ＵＥコンテキストにおける送信元アドレスおよび宛先アドレスに従って、格納された複数のマルチキャスト参加メッセージから対応するマルチキャスト参加メッセージを探し出す。例えば、取得するための第２の手段１０１が、移動体コアネットワークからフィードバック情報を受信し、ＭＢＭＳ  ＵＥコンテキストにおける関連する送信元アドレスは、移動ユーザ端末機器のＩＰアドレス、例えば、１０１．０．０．１１であり、関連する宛先アドレスは、２２４．０．０．２２であるマルチキャストアドレスである。次に、探索する手段１０３０が、フィードバックメッセージに従って、ＢＳＲの中に格納された移動ユーザ端末機器からの複数のマルチキャスト参加メッセージを探索し、宛先アドレスがマルチキャストアドレス２２４．０．０．２２であり、さらに送信元アドレスが移動ユーザ端末機器のＩＰアドレス、例えば、１０１．０．０．１１であるマルチキャスト参加メッセージを探し出す。次に、探索する手段１０３０は、そのマルチキャストメッセージが、フィードバックされたＭＢＭＳ  ＵＥコンテキストに対応するマルチキャスト参加メッセージであることを特定する。次に、送信する手段１０３１が、フィードバックされたＭＢＭＳ  ＵＥコンテキストに対応するマルチキャスト参加メッセージを、固定ネットワークにおける上位ネットワークデバイスに送信する。図２に示されるトポロジにおいて、ＢＳＲの上位ネットワークデバイスは、アクセスノード、例えば、ＤＳＬＡＭであるが、ＢＳＲの適用シナリオは、そうであることに限定されない。ＢＳＲの上位ネットワークデバイスは、小型スイッチ、小型ルータであることが可能であり、ただし、小型ルータは、ＦＴＴＸ接続シナリオに対応する。したがって、様々なネットワークトポロジに応じて、送信する手段１０３１は、マルチキャスト参加メッセージを、送信する手段１０３１に接続された上位ネットワークデバイスに送信する。
【００６２】
固定ネットワークにおける上位ネットワークデバイスがＢＳＲからマルチキャスト参加メッセージを受信すると、固定ネットワークにおける上位ネットワークデバイスは、そのマルチキャスト参加メッセージの送信元アドレスおよび宛先アドレスを記録し、既存のフローに従って対応するポートを構成し、既存のルーティングプロトコルに従ってマルチキャスト参加メッセージを転送し、最後に、マルチキャストツリーを確立することが可能である。
【００６３】
ＢＳＲの固定ネットワークにおける上位ネットワークデバイスが移動体ネットワークにおける送信元アドレスに影響されやすい可能性があることを考慮すると、つまり、送信元アドレスが移動体ネットワークにおけるアドレスである場合、例えば、固定ネットワークにおける上位ネットワークデバイスが、アドレス１０１．０．０．１１を有する移動ユーザ端末機器を送信元とするメッセージを受信した場合、固定ネットワークにおける上位ネットワークデバイスは、そのメッセージの送信元アドレスが固定ネットワークセグメントに属さないと考え、そのメッセージを直接に破棄する可能性がある。前述の状況に対処するのに、変形された実施形態において、制御デバイス１０が、更新する手段（図示せず）をさらに備え、更新する手段は、以下のステップを実行するのにさらに使用される。すなわち、
マルチキャスト参加メッセージの送信元アドレスをＢＳＲのＩＰアドレスに変更すること。ＢＳＲのＩＰアドレスは、固定ネットワークによって割り当てられ、固定ネットワークセグメントに属し、例えば、ＢＳＲのＩＰアドレスが２０２．０．０．１１であり、したがって、更新する手段が、マルチキャスト参加メッセージの送信元アドレスをＢＳＲのＩＰアドレス、２０２．０．０．１１に変更し、次に、送信する手段１０３１が、変更された送信元アドレスを有するマルチキャスト参加メッセージを、ＢＳＲの固定ネットワークにおける上位ネットワークデバイスに送信する。
【００６４】
前述の実施形態において、取得するための第２の手段１０１が移動体コアネットワークからフィードバックメッセージを取得した後、送信する手段１０３１が、マルチキャスト参加メッセージを、固定ネットワークにおける上位ネットワークデバイスに送信する。前述の実施する順序は、単に例示的であることに留意されたい。変形された実施形態において、格納する手段１０２は、省略されてもよく、取得するための第２の手段１０１、および送信する手段１０３１は、厳格な順序を有さない。つまり、取得するための第１の手段１００が、移動ユーザ端末機器から、移動体マルチキャストサービスを要求するマルチキャスト参加メッセージを取得した後、送信する手段１０３１が、そのマルチキャスト参加メッセージを、固定ネットワークにおける上位ネットワークデバイスに直接に送信し、次に、そのマルチキャスト参加メッセージを、ＩＰＳｅｃトンネルを介してフェムトセルＧＷ４に送信し、その後、そのメッセージがフェムトセルＧＷ４によってカプセルから取り出され、移動体コアネットワークに送信される、つまり、ＢＳＲが、移動体マルチキャストサービスのために固定ネットワークにおけるマルチキャストバックホールの確立をトリガするプロセスは、移動体コアネットワークからのフィードバックに依存しない。さらに、ＢＳＲは、移動体ネットワークにおいて無線マルチキャストベアラをさらに確立し、このことは、この場合、省略され、図４に示されない。この変形された実施形態は、時間を節約する。しかし、移動体マルチキャストサービスを求める要求が、移動体コアネットワークによって認証されない場合、このことは、固定ネットワークにおいて確立されたマルチキャストバックホール、例えば、マルチキャストツリーなどの無効を生じさせる可能性がある。
【００６５】
それぞれの前述の実施形態はすべて、マルチキャストメッセージがマルチキャスト参加メッセージである状況に焦点を合わせる。以下に、事例２および事例４、つまり、マルチキャストメッセージがマルチキャスト離脱メッセージである事例と関係する実施形態の説明が与えられる。
【００６６】
ＢＳＲが、移動ユーザ端末機器からのＩＰパケットが事例２および事例４に属することを特定すると、取得するための第１の手段１００が、移動ユーザ端末機器から、移動体マルチキャストグループを離脱するためのマルチキャスト離脱メッセージを取得する。
【００６７】
次に、図４に破線で示されるとおり、送信する手段１０３１が、そのマルチキャスト離脱メッセージを、固定ネットワークにおける上位ネットワークデバイスに直接に送信する。ＢＳＲは、マルチキャストグループを離脱することを要求するので、ＢＳＲは、移動体コアネットワークによって認証されなくてもよい、すなわち、取得するための第２の手段１０１、格納する手段１０２、および探索する手段１０３０はすべて、省略されてもよいことに留意されたい。
【００６８】
変形された実施形態において、固定ネットワークにおけるＢＳＲの上位ネットワークデバイスが移動体ネットワークに属する送信元アドレスに影響されやすい可能性があることも考慮すると、つまり、マルチキャスト離脱メッセージの送信元アドレスが移動体ネットワークにおけるアドレスである場合、例えば、固定ネットワークにおけるネットワークデバイスが、送信元アドレス１０１．０．０．１１を有する移動ユーザ端末機器を送信元とするマルチキャスト離脱メッセージを受信した場合、上位ネットワークデバイスは、そのメッセージのＩＰアドレスが固定ネットワークに属さないので、そのメッセージを破棄する可能性がある。前述のソリューションに対処するため、変形された実施形態では、制御する手段１０内の支援する手段１０３が、以下の動作を実行するのに使用される更新する手段（図４に示さず）をさらに備える。すなわち:、
マルチキャスト離脱メッセージの送信元アドレスをＢＳＲのアドレスに変更すること。固定ネットワークセグメントに属する、ＢＳＲのＩＰアドレスは、固定ネットワークによって割り当てられ、例えば、ＢＳＲのＩＰアドレスが２０２．０．０．１１である。したがって、更新する手段が、マルチキャスト離脱メッセージの送信元アドレスをＢＳＲのＩＰアドレス、２０２．０．０．１１に変更する。次に、送信する手段１０３１が、変更された送信元アドレスを有するマルチキャスト離脱メッセージを、ＢＳＲの上位ネットワークデバイスに送信する。図２に示されるトポロジにおいて、ＢＳＲの上位ネットワークデバイスは、アクセスノード、例えば、ＤＳＬＡＭであるが、ＢＳＲの適用シナリオは、そうであることに限定されない。ＢＳＲの上位ネットワークデバイスは、小型スイッチ、小型ルータであることが可能であり、ただし、小型ルータは、ＦＴＴＸ接続シナリオに対応する。したがって、様々なネットワークトポロジに応じて、ＢＳＲは、マルチキャスト離脱メッセージを、ＢＳＲに接続された上位ネットワークデバイスに送信する。
【００６９】
以上が、本発明の実施形態の説明である。しかし、本発明は、特定のシステム、装置、または特定のプロトコルに限定されない。当業者は、添付の特許請求の範囲の中で様々な変形または変更を実行することができる。
【図１】
0005357981.tif 000002
【図２】
0005357981.tif 000003
【図３】
0005357981.tif 000004
【図４】
0005357981.tif 000005